(57)【特許請求の範囲】
【請求項１】
複数の表示画素から成る水平画素ラインを複数本備え、所定のアスペクト比を持つ表示パネルと、
入力される映像信号からクロック信号に基づいて各水平画素ラインの各表示画素に対応する信号電圧を出力する水平走査回路と、
前記水平画素ラインを選択する垂直走査回路と、
前記水平走査回路に前記クロック信号を供給する制御回路と、を備えた画像表示装置において、
前記制御回路は、基準クロック信号を分周する分周手段と、
前記映像信号のアスペクト比が４／３である場合には、一水平走査期間内における周波数は、前記分周手段によって前記基準クロック信号の周波数を１／２に分周した周波数と、前記基準クロック信号の周波数と等しい周波数とからなる出力を選択し、前記映像信号のアスペクト比が１６／９である場合には、一水平走査期間内における周波数は、前記分周手段によって、前記基準クロック信号の周波数を２／３に分周した周波数からなる出力を選択する選択手段と、
を備えたことを特徴とする画像表示装置。
【発明の詳細な説明】
【０００１】
【発明の属する技術分野】
この発明は、横Ｘと縦Ｙとの比率、即ちアスペクト比Ｘ／Ｙの有効表示領域に、入力される映像信号を順次サンプリングして画像表示を行う画像表示方法に関する。
【０００２】
【従来の技術】
液晶表示装置に代表される表示装置は、薄型、軽量、低消費電力の特徴を生かして、パーソナルコンピュータやワードプロセッサ等の表示装置として、テレビジョンあるいはカー・ナビゲーション・システムの表示装置として、更に投射型の表示装置として各種分野で利用されている。中でも、各表示画素にスイッチ素子が電気的に接続されて成るアクティブマトリックス型液晶表示装置は、隣接画素間でクロストークのない良好な表示画像を実現できることから、盛んに研究・開発が行われている。
【０００３】
特に、近年では、アスペクト比４／３の有効表示領域を備える表示装置から、視覚的に大画面が認識されるアスペクト比１６／９等の水平走査線方向に延びた有効表示領域を備える表示装置へと移行しつつある。
【０００４】
ところで、アスペクト比１６／９の有効表示領域を備えた液晶表示装置に、アスペクト比４／３の画像情報を持つ映像信号を表示させる場合、いくつかの方法が知られている。
【０００５】
例えば、図１３（ａ）に示すアスペクト比４／３の映像信号Video を、アスペクト比１６／９の有効表示領域全体にわたり所定のサンプリングクロックに基づいて順次サンプリングし同図（ｂ）に示すように表示する方法がある。この方法によれば、特殊な回路構成を必要としないものの、アスペクト比４／３の映像信号Video のアスペクト比は忠実には再現されず、同図（ｂ）の如く水平走査線方向に延びた画像となる。
【０００６】
他の方法としては、同図（ｃ）あるいは（ｄ）に示す如く、アスペクト比１６／９の有効表示領域を、アスペクト比４／９の表示領域と、アスペクト比１２／９（４／３）の表示領域とに分割し、アスペクト比１２／９（４／３）の表示領域にアスペクト比４／３の画像情報を持つ映像信号Video を表示する方法がある。
【０００７】
しかしながら、この場合は、アスペクト比１２／９（４／３）の表示領域に対応したサンプリング期間は、ＮＴＳＣ方式の場合、少なくとも一水平走査期間（１Ｈ）に対して０．８Ｈは必要であるため、アスペクト比４／９の表示領域に対応したサンプリング期間は０．２Ｈ以下となる。このため、従来ではフレームメモリ等を用いた画像処理技術により、予め画像処理された映像信号に基づいて順次サンプリングし表示を行っていたため、装置の低廉化を達成することができなかった。
【０００８】
【発明が解決しようとする課題】
このような中、例えば特開平８−２８９２３２号に開示される方法が提案されている。これは、図１３（ｃ）あるいは（ｄ）に示すように、アスペクト比１６／９の有効表示領域をアスペクト比１２／９（４／３）の第１表示領域とアスペクト比４／９の第２表示領域とに分割し、第１表示領域にアスペクト比４／３の画像情報を持つ映像信号Video を表示するに際し、第１表示領域に対応する映像信号Video をサンプリングする第１サンプリングクロックと、第２表示領域に対応する他の信号Video をサンプリングするサンプリングクロックとを異ならしめるというものである。
【０００９】
即ち、アスペクト比１６／９の有効表示領域にアスペクト比１６／９の画像情報を持つ映像信号Video を表示する際のサンプリングクロックをＣＫとした場合、第１表示領域は通常のサンプリングクロックＣＫの３／４倍のサンプリングクロックを用いてサンプリングし、第２表示領域はサンプリングクロックＣＫの３／２倍のサンプリングクロックを用いてサンプリングするというものである。
【００１０】
そして、このようなサンプリングクロックを生成するにあたり、図１４に示す回路構成を用い、周波数発信器ＶＯＣから発振される高周波数の信号ＶＯＣを１／ｎ分周してそれぞれのサンプリングクロックを生成している。
【００１１】
しかしながら、このような手法によれば、基準となる信号ＶＯＣの周波数が極めて高いため、外部回路の影響を受けやすく、このため生成されるサンプリングクロックが不安定となるばかりでなく、消費電力を増大させ、また不要な電磁波を発生する等の不具合が生じる。
【００１２】
この発明は、上述した技術課題に対処して成されたものであって、表示画面と異なるアスペクト比を持つ画像情報を、安価に、しかも高精度に所望のアスペクト比で表示することができる画像表示方法及び画像表示装置を提供することを目的としている。
【００１３】
【課題を解決するための手段】
この発明は、複数の表示画素から成る水平画素ラインを複数本備え、所定のアスペクト比を持つ表示パネルと、入力される映像信号からクロック信号に基づいて各水平画素ラインの各表示画素に対応する信号電圧を出力する水平走査回路と、前記水平画素ラインを選択する垂直走査回路と、前記水平走査回路に前記クロック信号を供給する制御回路と、を備えた画像表示装置において、前記制御回路は、基準クロック信号を所定の第１の比率と第２の比率で分周する分周手段と、前記基準クロック信号と前記第１の比率で分周された前記分周手段からの出力とを一水平走査期間内で組合せた出力と、前記第２の比率で分周された前記分周手段からの出力とを選択する選択手段とを備えたことを特徴とする画像表示装置にある。
【００１４】
また、この発明は、複数の表示画素から成る水平画素ラインを複数本備え、所定のアスペクト比を持つ表示パネルに、入力される映像信号からクロック信号に基づいて各水平画素ラインの各表示画素に所定の画像表示を成す画像表示方法において、基準クロック信号を所定の第１の比率と第２の比率で分周し、前記基準クロック信号と前記第１の比率で分周された出力とを一水平走査期間内で組合せた出力と、前記第２の比率で分周された出力とを選択的に用いる画像表示方法にある。
【００１５】
この発明によれば、上記の構成により表示画面と異なるアスペクト比を持つ画像情報を、安価に、しかも高精度に所望のアスペクト比で表示することができる画像表示方法及び画像表示装置が提供できる。
【００１６】
【発明の実施の形態】
以下、本発明の一実施例の液晶表示装置について、図面を参照して説明する。
この液晶表示装置1 は、図１に示すように、対角６インチ、アスペクト比１６／９の表示領域103 を備え、ＮＴＳＣ方式の映像信号Video に対応して図１３（ｂ），（ｃ）に示す表示状態が実現可能に構成される。
【００１７】
液晶表示装置１は、液晶パネル101 と、液晶パネル101 に電気的に接続され映像信号Video をサンプリングすることにより所望の電圧を供給する４個のＸ駆動回路201-1,201-2,201-3,201-4 及び走査パルスを供給する１個のＹ駆動回路301 、及び制御回路部401 を含む。
【００１８】
液晶パネル101 は、図１乃至２に示すように、アレイ基板110 と対向基板150 とが、それぞれ配向膜181,183 を介してツイスト・ネマチック型の液晶層185 を保持し、シール材（図示せず）によって互いに貼り合わさっている。また、各基板110,150 外表面には、それぞれ偏光板191,193 が、その偏光軸が直交するように配置されて成っている。アレイ基板110 は、４８０×３本の信号線Ｘｉ（i=1,2,…,1440 ）と２４０本の走査線Ｙｊ（j=1,2,…,240）とが略直交するように配置されている。各信号線Ｘｉと各走査線Ｙｊとの交点近傍には、走査線Ｙｊ自体をゲート電極とし、ゲート絶縁膜122 を介して活性層123 に非晶質シリコン薄膜が用いられ、更にこの上にチャネル保護膜124 、活性層123 に接続され信号線Ｘｉから延びるドレイン電極125 、活性層123 に接続されるソース電極126 を備えた成る逆スタガ型の薄膜トランジスタ121 （以下、ＴＦＴと略称する。）が配置される。このＴＦＴ121 のソース電極126 はＩ．Ｔ．Ｏ．（Indium Tin Oxide）から成る画素電極131 に接続されている。また、アレイ基板110 は、走査線Ｙｊに対し略平行に、しかも画素電極131 と重複する領域を有して配置される補助容量線Ｃｊ（j=1,2,…,240）を備え、画素電極131 と補助容量線Ｃｊとによって補助容量Ｃｓが形成されている。対向基板150 は、アレイ基板110 に形成されるＴＦＴ121 、信号線Ｘｉと画素電極131 との間隙、走査線Ｙｊと画素電極131 との間隙のそれぞれを遮光するためのマトリクス状の遮光層153 、カラー表示を実現するため遮光層153 間に配置される赤（Ｒ），緑（Ｇ），青（Ｂ）の３原色で構成されるカラーフィルタ層155 を備え、更にＩ．Ｔ．Ｏ．から成る対向電極157 が配置されて構成されている。
【００１９】
このようにして、上述した液晶パネル101 の表示領域103 は、一水平画素ラインが赤（Ｒ），緑（Ｇ），青（Ｂ）の表示画素で構成される４８０個の表示絵素を含み、このような水平画素ラインが２４０本配列されて成っている。
【００２０】
制御回路部401 は、Ｘ駆動回路201-1,201-2,201-3,201-4 に水平クロック信号ＸＣＫ、水平スタート信号ＸＳＴ及び映像信号Video を供給すると共に、Ｙ駆動回路301 に垂直クロック信号ＹＣＫ及び垂直スタート信号ＹＳＴのそれぞれを出力する。
【００２１】
Ｘ駆動回路201-1 は、図３に示すように、水平スタート信号ＸＳＴを水平クロック信号ＸＣＫに基づいて順次転送する１２０段のフリップ・フロップ回路で構成されるシフトレジスタＳ／Ｒと、このシフトレジスタＳ／Ｒ出力に基づいて映像信号Video を順次サンプリングするサンプリング・トランジスタＳＴＦＴとを含むサンプリング回路211 と、サンプリング回路211 でサンプリングされた映像信号電圧Ｖｓｉｇを保持するラッチ回路221 及びバッファ回路231 とで構成される。Ｘ駆動回路201-2,201-3,201-4 も同様の構成であるため説明は省略する。
【００２２】
Ｙ駆動回路301 、図４に示すように、垂直スタート信号ＹＳＴを垂直クロック信号ＹＣＫに基づいて順次転送する２４０段のフリップ・フロップ回路で構成されるシフトレジスタＳ／Ｒと、これを走査パルスとして出力するバッファ回路311 とで構成される。
【００２３】
また、制御回路部401 は、図５に示すように、外部から入力される画面切り替え信号ＳＥＬに基づいて、異なる水平クロック信号ＸＣＫの出力を可能にする水平クロック制御回路部411 を含む。この水平クロック制御回路部411 は、切り替え信号ＳＥＬに基づいて制御信号Ａ，Ｂ，Ｃを生成する制御信号生成部421 と、水平・垂直同期信号Ｈ／Ｖsyncに基づいて周波数（ｆCK）が１４ＭＨｚの基準クロック信号ＣＫref を生成する、例えばＰＬＬ回路等で構成されるクロック発振回路431 と、水平クロック生成部441 （図６参照）とを備え、水平クロック生成部441 は制御信号Ａ，Ｂ，Ｃ、基準クロック信号ＣＫref 、インバータ433 によって反転された反転基準クロック信号ＩＣＫref とによって制御される。
【００２４】
水平クロック生成部441 について、図６を参照して詳細に説明する。制御信号Ａは、ＮＯＲゲート464 の一端に入力され他端には第１フリップ・フロップ443 の出力が入力され、ＮＯＲゲート464 の出力はＮＡＮＤゲート466 の一端に導かれれる。
【００２５】
また、制御信号Ｂは、ＯＲゲート465 の一端に入力され他端には第２フリップ・フロップ445 の出力がインバータ469 を介して入力され、ＯＲゲート465 の出力はＮＡＮＤゲート466 の他端に導かれれる。そして、第１フリップ・フロップ443 は、ＮＡＮＤゲート466 の出力及び基準クロック信号ＣＫref に基づいて制御され、この出力は信号ＤとしてＮＯＲゲート455 の一端に導かれる。
【００２６】
また、制御信号Ａはインバータ461 を介してＮＡＮＤゲート467 の一端に、制御信号Ｂはインバータ462 を介してＮＡＮＤゲート467 の他端に、更に第１フリップ・フロップ443 の出力がＮＡＮＤゲート467 の他端に入力され、第２フリップ・フロップ445 はＮＡＮＤゲート467 の出力と基準クロック信号ＣＫref に基づいて制御され、この出力が信号ＥとしてＮＯＲゲート457 の一端に導かれる。
【００２７】
更に第３フリップ・フロップ447 は第１フリップ・フロップ443 の出力と反転基準クロック信号ＩＣＫref に基づいて制御され、この出力が信号ＦとしてＯＲゲート451,453 のそれぞれの一端に入力される。
【００２８】
ＯＲゲート451 はこの信号Ｆと制御信号Ｂとに基づいて制御され、ＮＯＲゲート455 は第１フリップ・フロップ445 からの信号ＤとＯＲゲート451 からの出力に基づいて信号Ｇを出力する。
【００２９】
また、ＮＯＲゲート468 はインバータ462 を介して入力される制御信号Ｂとインバータ463 を介して入力される制御信号Ｃとに基づいて制御され、ＯＲゲート451 は信号ＦとＮＯＲゲート468 からの出力とに基づいて制御される。そして、ＮＯＲゲート457 は、ＯＲゲート453 の出力と第２フリップ・フロップ445 からの信号Ｅとを入力とし、信号Ｈを出力する。
【００３０】
そして、ＥＸＯＲゲート459 は信号Ｇ，Ｈに基づいて、クロック信号ＸＣＫを出力する。
制御信号Ａは水平クロック生成部411 から出力される水平クロック信号ＸＣＫの出力期間を制御するものである。また、制御信号Ｂ，Ｃは水平クロック生成部411 から出力される水平クロック信号ＸＣＫの周波数を制御するものである。即ち、図７に示すように、この水平クロック生成部411 は、制御信号Ｂ，Ｃが共にロー（Ｌ）レベルの場合、及び制御信号ＢがＬレベルで制御信号Ｃがハイ（Ｈ）レベルの場合、基準クロック信号ＣＫref の周波数（ｆCK）の２／３の周波数（２ｆCK／３）の水平クロック信号ＸＣＫを出力する。また、水平クロック生成部411 は、制御信号ＢがＨレベルで制御信号ＣがＬレベルの場合、基準クロック信号ＣＫref の周波数（ｆCK）と等しい周波数（ｆCK）の水平クロック信号ＸＣＫを出力する。また、水平クロック生成部411 は、制御信号Ｂ，Ｃが共にＨレベルの場合、基準クロック信号ＣＫref の周波数（ｆCK）の１／２の周波数（ｆCK／２）の水平クロック信号ＸＣＫが出力する。
【００３１】
この基準クロック信号ＣＫref の周波数（ｆCK）は、水平周波数（ｆH ）×水平ドット数に基づいて算出され、ＮＴＳＣ信号を表示する場合は水平周波数（ｆH ）が１５．７３４ｋＨｚであり、またこの実施例では水平ドット数は赤（Ｒ），緑（Ｇ），青（Ｂ）の表示画素がそれぞれ４８０で構成され、各水平走査期間における有効映像信号は約８／１０程度であるため［４８０／（８／１０）］となる。即ち、基準クロック信号ＣＫref の周波数（ｆCK）は、｛（fH）×［４８０／（８／１０）］｝×（３／２）で求められ、ここでは約１４ＭＨｚに設定される。
【００３２】
尚、ＰＡＬ信号を受信する場合は、ＰＡＬ信号の水平周波数（ｆH ）に合わせて、また表示に使用するべき水平ドット数を変更することでクロック信号(CK)は調整される。
【００３３】
これに基づいて、この液晶表示装置1 は、次のように動作する。
まず、液晶表示装置1 の表示領域103 全体に、アスペクト比１６／９の画像情報あるいはアスペクト比４／３の画像情報を持つＮＴＳＣ方式の映像信号Video を図１３（ｂ）の如く表示する場合について説明する。
【００３４】
制御回路部401 のクロック発振回路431 は、図８に示すように１４ＭＨｚの基準クロック信号ＣＫref を発振し、基準クロック信号ＣＫref とこの反転基準クロック信号ＩＣＫref とが水平クロック生成部411 に出力される。
【００３５】
制御信号生成部421 には、基準クロック信号ＣＫref 、切り替え信号ＳＥＬ及び水平／垂直同期信号Ｈ／Ｖsyncが入力され、これに基づいて水平スタート信号ＸＳＴを出力するとともに、制御信号Ａ，Ｂ，Ｃを水平クロック生成部411 に出力する。これに基づいて、水平クロック生成部411 は、入力される基準クロック信号Ｃｋref を１／３に分周した第１の１／３分周信号を第１フリップ・フロップ443 から信号Ｄとして出力する。この信号Ｄは、ＬレベルとＨレベルのデューティ比が１：２の比率となっている。また、第２フリップ・フロップ445 は信号Ｄを基準クロック信号ＣＫref に基づいて１クロック遅延させた信号Ｅを出力する。また、第３フリップ・フロップ447 は信号Ｄを基準クロック信号ＣＫref に基づいて１／２クロック遅延させた信号Ｆを出力する。
【００３６】
ＮＯＲゲート455 は、信号Ｄと、制御信号Ｂと信号Ｆとに基づくＯＲゲート451 の出力とによって制御され、基準クロック信号ＣＫref が１／３分周され、ＬレベルとＨレベルのデューティ比が１：１の比率となる信号Ｇを出力する。
【００３７】
ＮＯＲゲート457 は、制御信号Ｂ，Ｃに基づくＬレベルの信号と信号Ｆとに基づくＯＲゲート453 の出力と、信号Ｅとによって制御され、基準クロックＣＫref が１／３分周され、ＬレベルとＨレベルのデューティ比が１：１の比率となる信号Ｇに対して位相が１／２クロック遅れた信号Ｈを出力する。
【００３８】
そして、ＥＸＯＲゲート459 は信号Ｇ，Ｈに基づいて、基準クロック信号ＣＫref が２／３分周され、基準クロック信号ＣＫref の周波数（ｆCK）の２／３の周波数（２ｆCK／３）に制御され、ＬレベルとＨレベルのデューティ比が２：１の比率となる水平クロック信号ＸＣＫを出力する。
【００３９】
この水平クロック信号ＸＣＫに基づいて、入力される映像信号Video は一水平走査期間（１Ｈ）内で各色毎に４８０のサンプリングが成され、液晶表示装置1 の表示領域103 にはアスペクト比１６／９の画像情報が再現される。
【００４０】
次に、表示領域103 を、図１３（ｃ）に示す如くアスペクト比１２／９（４：３）の第１表示領域Ａと、アスペクト比４／９の第２表示領域Ｂとに分割し、第１表示領域Ａにアスペクト比４／３の画像情報を持つＮＴＳＣ方式の映像信号Video を表示する場合について説明する。
【００４１】
この場合、図９に示すように、まず一水平走査期間（１Ｈ）の内の０．８Ｈの間、アスペクト比４／３の第１表示領域Ａに対応する映像信号Video をサンプリングし、０．２Ｈの間、アスペクト比４／９の第２表示領域Ｂに対応する映像信号Video をサンプリングする。尚、この実施例では第２表示領域Ｂには黒表示がなされるよう映像信号Video が設定されている。
【００４２】
まず、画面切り替え信号ＳＥＬに基づいて制御信号生成部421 は、０．８Ｈの間、Ｈレベルに設定された制御信号Ｂ，Ｃを出力し、これにより基準クロック信号ＣＫref の周波数（ｆCK）の１／２の周波数（ｆCK／２）の水平クロック信号ＸＣＫが出力される。
【００４３】
即ち、水平クロック生成部411 は、入力される基準クロック信号Ｃｋref を１／２に分周し、位相が１８０゜ずれた第１の１／２分周信号を第１フリップ・フロップ443 から信号Ｄとして出力する。また、第２フリップ・フロップ445 は、制御信号Ａ及び制御信号Ｂが共にＬレベルであるため、常にＨレベルの信号Ｅを出力する。また、第３フリップ・フロップ447 は信号Ｄを基準クロック信号ＣＫref に基づいて１／２クロック遅延させた信号Ｆを出力する。ＮＯＲゲート455 は、信号Ｄと、制御信号Ｂと信号Ｆとに基づくＯＲゲート451 の出力とによって制御され、信号Ｄの位相が１８０゜ずれた信号Ｇを出力する。ＮＯＲゲート457 は、制御信号Ｂ，Ｃに基づくＨレベルの信号と信号Ｆとに基づくＯＲゲート453 の出力と、信号Ｅとによって制御され、常にＬレベルの信号Ｈを出力する。そして、ＥＸＯＲゲート459 は信号Ｇ，Ｈに基づいて、基準クロック信号ＣＫref が１／２分周され、基準クロック信号ＣＫref の周波数（ｆCK）の１／２の周波数（ｆCK／２）に制御され、ＬレベルとＨレベルのデューティ比が１：１の比率となる水平クロック信号ＸＣＫを出力する。
【００４４】
これに基づいて、一水平走査期間（１Ｈ）の内の０．８Ｈの間、アスペクト比４／３の第１表示領域Ａに対応する映像信号Video が順次サンプリングされる。
そして、残りの０．２Ｈの間、同図に示すように、制御信号ＣはＬレベルに設定され、これにより基準クロック信号ＣＫref の周波数（ｆCK）と等しい周波数（ｆCK）の水平クロック信号ＸＣＫが出力される。
【００４５】
即ち、水平クロック生成部411 は、入力される基準クロック信号Ｃｋref を１／２に分周し、位相が１８０゜ずれた第１の１／２分周信号を第１フリップ・フロップ443 から信号Ｄとして出力する。また、第２フリップ・フロップ445 は、制御信号Ａ及び制御信号Ｂが共にＬレベルであるため、常にＨレベルの信号Ｅを出力する。また、第３フリップ・フロップ447 は信号Ｄを基準クロック信号ＣＫref に基づいて１／２クロック遅延させた信号Ｆを出力する。ＮＯＲゲート455 は、信号Ｄと、制御信号Ｂと信号Ｆとに基づくＯＲゲート451 の出力とによって制御され、信号Ｄの位相が１８０゜ずれた信号Ｇを出力する。ＮＯＲゲート457 は、制御信号Ｂ，Ｃに基づくＬレベルの信号と信号Ｆとに基づくＯＲゲート453 の出力と、信号Ｅとによって制御され、信号Ｆに大して位相が１８０゜ずれた信号Ｈを出力する。そして、ＥＸＯＲゲート459 は信号Ｇ，Ｈに基づいて、基準クロック信号ＣＫref と等しい周波数（ｆCK）の水平クロック信号ＸＣＫを出力する。
【００４６】
これに基づいて、一水平走査期間（１Ｈ）の内の０．２Ｈの間、アスペクト比４／９の第２表示領域Ｂに対応する映像信号Video が順次サンプリングされる。
以上のように、一水平走査期間（１Ｈ）内で水平クロック信号ＸＣＫの周波数を切換えることにより、アスペクト比４／３の第１表示領域Ａにアスペクト比４／３の画像情報を持つ映像信号Video が、そのアスペクト比を崩すことなく表示される。
【００４７】
以上説明したように、この実施例の液晶表示装置1 によれば、高価なメモリを使用することなく、その水平クロック信号ＸＣＫの周波数を適宜変更することにより、図１３（ｂ），（ｃ）に示すような表示状態を実現することができる。しかも、基準クロック信号ＣＫref は、特有の構成により従来に比べて十分な低速化が可能であるため、外部回路の影響を受けにくく、安定した水平クロック信号ＸＣＫが生成でき、更に低消費電力が達成される。しかも、その周波数を低減することにより、不要な電磁波の発生を抑えることもできる。
【００４８】
次に、本発明の他の実施例について、図面を参照して説明する。この実施例の液晶表示装置1 は、上述した実施例に加え、図１３（ｄ）に示す表示状態が実現可能に構成されている。
【００４９】
このため、この液晶表示装置1 は、図１０に示すように、Ｘ駆動回路201-1 とＸ駆動回路201-2 との間には制御回路401 からの切換信号ＳＥに基づいて制御される切換スイッチ501 が介挿され、Ｘ駆動回路201-2 にはＸ駆動回路201-1 の最終段のフリップ・フロップの出力をスタート信号ＸＳＴとする場合と、制御回路401 から入力されるスタート信号ＸＳＴ２に基づいて動作する場合とが切換可能に構成されている。
【００５０】
これに伴って、制御回路401 は、第１及び第２スタート信号ＸＳＴ１，ＸＳＴ２、および切換信号ＳＥを出力可能に構成されている。
これに基づいて、この液晶表示装置1 は、次のように動作する。まず、液晶表示装置1 の表示領域103 全体に、アスペクト比１６／９の画像情報あるいはアスペクト比４／３の画像情報を持つＮＴＳＣ方式の映像信号Video を図１３（ｂ）の如く表示する場合について説明する。
【００５１】
制御回路部401 から出力される切換信号ＳＥに基づいて、Ｘ駆動回路201-2 にはＸ駆動回路201-1 の最終段のフリップ・フロップの出力がスタート信号ＸＳＴとして入力されるよう設定する。即ち、各Ｘ駆動回路201-1,201-2,201-3,201-4 はカスケード接続された状態とする。
【００５２】
そして、上述した実施例と同様に、この制御回路401 は、図８に示す１４ＭＨｚの基準クロック信号ＣＫref に基づいて、基準クロック信号ＣＫref の周波数（ｆCK）の２／３の周波数（２ｆCK／３）に制御され、ＬレベルとＨレベルのデューティ比が２：１の比率となる水平クロック信号ＸＣＫを出力する。
【００５３】
この水平クロック信号ＸＣＫに基づいて、入力される映像信号Video は一水平走査期間（１Ｈ）内で各色毎に４８０のサンプリングが成され、液晶表示装置1 の表示領域103 にはアスペクト比１６／９の画像情報が再現される。
【００５４】
次に、表示領域103 を、図１３（ｃ）に示す如くアスペクト比１２／９（４：３）の第１表示領域Ａと、アスペクト比４／９の第２表示領域Ｂとに分割し、領域Ａにアスペクト比４／３の画像情報を持つＮＴＳＣ方式の映像信号Video を表示する場合について説明する。
【００５５】
この場合も、制御回路部401 から出力される切換信号ＳＥに基づいて、Ｘ駆動回路201-2 にはＸ駆動回路201-1 の最終段のフリップ・フロップの出力がスタート信号ＸＳＴとして入力されるよう設定する。即ち、各Ｘ駆動回路201-1,201-2,201-3,201-4 はカスケード接続された状態とする。
【００５６】
そして、上述した実施例と同様に、制御回路401 は、まず一水平走査期間（１Ｈ）の内の０．８Ｈの間、アスペクト比４／３の第１表示領域Ａに対応する映像信号Video がサンプリングされるよう基準クロック信号ＣＫref の周波数（ｆCK）の１／２の周波数（ｆCK／２）の水平クロック信号ＸＣＫを出力する。
【００５７】
そして、残りの０．２Ｈの間、基準クロック信号ＣＫref の周波数（ｆCK）と等しい周波数（ｆCK）の水平クロック信号ＸＣＫが出力される。これにより、一水平走査期間（１Ｈ）内で全ての画素に対応したサンプリングが完了する。
【００５８】
このようにしてアスペクト比４／３の第１表示領域Ａにアスペクト比４／３の画像情報を持つ映像信号Video が、そのアスペクト比を崩すことなく表示される。
【００５９】
次に、表示領域103 を、図１３（ｄ）に示す如くアスペクト比１２／９（４：３）の第１表示領域Ａと、アスペクト比４／９の第２表示領域Ｂとに分割し、第１表示領域Ａにアスペクト比４／３の画像情報を持つＮＴＳＣ方式の映像信号Video を表示する場合について説明する。
【００６０】
この場合、制御回路部401 から出力される切換信号ＳＥに基づいて、Ｘ駆動回路201-2 には制御回路部401 から出力される第２水平スタート信号ＸＳＴ２が入力されるように設定される。
【００６１】
そして、上述した場合と同様に、図１２に示すごとく、制御回路401 は、まず一水平走査期間（１Ｈ）の内の０．８Ｈの間、アスペクト比４／３の第２表示領域Ｂに対応する映像信号Video がサンプリングされるよう基準クロック信号ＣＫref の周波数（ｆCK）の１／２の周波数（ｆCK／２）の水平クロック信号ＸＣＫを出力する。Ｘ駆動回路201-2,201-3,201-4 は、第２水平スタート信号ＸＳＴ２及びこの水平クロック信号ＸＣＫに基づいて第２表示領域Ｂに対応する映像信号Video をサンプリングする。
【００６２】
そして、残りの０．２Ｈの間、制御回路401 は基準クロック信号ＣＫref の周波数（ｆCK）と等しい周波数（ｆCK）の水平クロック信号ＸＣＫを出力する。Ｘ駆動回路201-1 は、第１水平スタート信号ＸＳＴ１及びこの水平クロック信号ＸＣＫに基づいて第１表示領域Ａに対応する映像信号Video をサンプリングする。これにより、一水平走査期間（１Ｈ）内で全ての画素に対応したサンプリングが完了する。
【００６３】
このようにしてアスペクト比４／３の第２表示領域Ｂにアスペクト比４／３の画像情報を持つ映像信号Video が、そのアスペクト比を崩すことなく表示される。
【００６４】
以上説明したように、この実施例の液晶表示装置1 によれば、上述した実施例に加え、図１３（ｄ）に示すような表示状態を実現することができる。
上述した実施例では、いずれもＮＴＳＣ方式の映像信号Video を例にとり説明したが、各種信号の表示が可能である。また、有効表示領域の分割位置を適宜細分化することにより、各種表示位置に表示することができることは言うまでもない。
【００６５】
また、有効表示領域を分割する場合、複数種の映像信号Video を組合せることで、それぞれの領域に異なる画像表示が可能である。
上述した実施例の液晶表示装置(1) では、各画素毎にＴＦＴが電気的に接続されたアクティブマトリクス型の表示装置を例に取り説明したが、スイッチ素子としてＭＩＭ（Metal Insulator Metal ）素子が用いられたものであっても良い。
【００６６】
【発明の効果】
この発明の画像表示装置及び画像表示方法によれぱ、表示画面と異なるアスペクト比を持つ画像情報を、安価に、しかも高精度に所望のアスペクト比で表示することができる。
【図面の簡単な説明】
【図１】図１は、本発明の一実施例の液晶表示装置の概略構成図である。
【図２】図２は、図１の液晶パネルの一部概略断面図である。
【図３】図３は、図１のＸ駆動回路部の概略構成図である。
【図４】図４は、図１のＹ駆動回路部の概略構成図である。
【図５】図５は、図１の制御回路部の概略構成図である。
【図６】図６は、制御回路部の水平クロック生成部の概略構成図である。
【図７】図７は、制御信号と水平クロック信号ＸＣＫの周波数との関係を説明する図である。
【図８】図８は、水平クロック生成部における一水平クロック信号を生成するための各波形図である。
【図９】図９は、水平クロック生成部における他の水平クロック信号を生成するための各波形図である。
【図１０】図１０は、本発明の他の実施例の液晶表示装置の概略構成図である。
【図１１】図１１は、図１０の制御回路部の概略構成図である。
【図１２】図１２は、水平クロック生成部における一水平クロック信号を生成するための各波形図である。
【図１３】図１３は、各種表示状態を説明するための図である。
【図１４】図１４は、従来の一水平クロック信号を生成するための水平クロック生成部の概略構成図である。
【符号の説明】
1 …液晶表示装置
103 …表示領域
201-1,201-2,201-3,201-4 …Ｘ駆動回路
301 …Ｙ駆動回路
401 …制御回路部
411 …水平クロック生成部
【図１】
0003892542.tif 000002
【図２】
0003892542.tif 000003
【図３】
0003892542.tif 000004
【図４】
0003892542.tif 000005
【図５】
0003892542.tif 000006
【図６】
0003892542.tif 000007
【図７】
0003892542.tif 000008
【図８】
0003892542.tif 000009
【図９】
0003892542.tif 000010
【図１０】
0003892542.tif 000011
【図１１】
0003892542.tif 000012
【図１２】
0003892542.tif 000013
【図１３】
0003892542.tif 000014
【図１４】
0003892542.tif 000015